(57)【特許請求の範囲】
【請求項１】
弾性を有する布地製でかつ主として仙腸関節を覆う上段ベルトと、同弾性を有する布地製でかつ主として股関節を覆う下段ベルトとを備え、上下両ベルトの左右両端部とが重合状態に結合されて、矯正ベルト両端部が形成され、該矯正ベルト両端部寄りのベルト折れ曲り部分には圧力防止用のパワ−アブソ−ブクロスが取付けられ、上下段ベルトの長さの中間部分が並列状態で複数の布地製連結片によって互いに連結され、上段ベルトの長さの中央部内側にポケット部が設けられて、該ポケット部に遠赤外線放射セラミックスを有する仙骨矯正ブロックが収められ、矯正ベルト両端部に相互に掛け合わせられてベルト両端部を連結する掛止部材が設けられていることを特徴とする、骨盤矯正ベルト。
【発明の詳細な説明】
【０００１】
【発明の属する技術分野】
本発明は、骨盤矯正ベルトに関するものである。
【０００２】
【従来の技術】
近年、文明の発達に伴い、歩くことが激減した現代社会人は、起立筋（大臀筋、中臀筋、腸腰筋、背筋等、立ち姿勢を保持するために働く筋肉群の総称）の弱体化により、正しい立ち姿勢が維持できなくなってきている。
そのことにより、ほとんどの現代社会人は、全体重を支える２本の足と、上半身との接合部にあたる骨盤が傾いてきている。骨盤が傾けば、その上にのっているかたちの２４個の椎骨からなる背骨も傾くことになる。
背骨が傾むいてくると、バランスをとるために背骨を中心に首から足にかけて骨格は微妙なカーブを描くことになる。脊髄からは、全身の神経とそれに付随する毛細血管が伸びていっている（悩脊髄神経系統）。
【０００３】
【発明が解決しようとする課題】
しかしながら、従来より骨盤矯正ベルトやコルセットは、各種の構造のものが知られているが、骨盤の矯正作用を充分に発揮し得るものは無かった。
そして、上記のような骨格（主に骨盤と背骨）の歪み（悪い姿勢）が習慣化することにより、骨盤内臓の血流が不正常となるとともに、背骨の歪みにより、圧迫された脊髄神経の出先の諸器官は慢性的な疾患を訴えることになってくる（生活習慣病）という問題があった。
【０００４】
本発明は、上記の問題を解決するためになされたもので、腰痛をはじめとする諸生活習慣病を予防、並びに改善するために、起立筋の弱体化に起因する骨盤の傾きを正す（直す）ことができる骨盤矯正ベルトを提供するを目的とするものである。
【０００５】
【課題を解決するための手段】
上記の目的を達成するために、本発明による骨盤矯正ベルトは、弾性を有する布地製でかつ主として仙腸関節を覆う上段ベルトと、同弾性を有する布地製でかつ主として股関節を覆う下段ベルトとを備え、上下両ベルトの左右両端部とが重合状態に結合されて、矯正ベルト両端部が形成され、該矯正ベルト両端部寄りのベルト折れ曲り部分には圧力防止用のパワ−アブソ−ブクロスが取付けられ、上下段ベルトの長さの中間部分が並列状態で複数の布地製連結片によって互いに連結され、上段ベルトの長さの中央部内側にポケット部が設けられて、該ポケット部に遠赤外線放射セラミックスを有する仙骨矯正ブロックが収められ、矯正ベルト両端部に相互に掛け合わせられてベルト両端部を連結する掛止部材が設けられていることを特徴としている。
【０００６】
【発明の実施の形態】
つぎに、本発明の実施の形態を、図面を参照して説明する。
まず図１を参照すると、本発明による骨盤矯正ベルト１０は、弾性を有する布地製でかつ主として仙腸関節２３を覆う上段ベルト１と、同弾性を有する布地製でかつ主として股関節２４を覆う下段ベルト２とを備えている。上下両ベルト１，２の左右両端部１ａ，１ａと２ａ，２ａとが重合状態に結合されて、矯正ベルト両端部３，４が形成されている。
すなわち、２本の特殊ベルト（圧力を加えても、血行を阻害しにくい編み立て構造のベルト）１，２が、左右両端部１ａ，１ａと２ａ，２ａとで、縫製により一体に結合されている。このような矯正ベルト左右両端部３，４を相互に連結する掛止部材として、その左端部３の内側（人体側）に雄カギホック８が、右端部４の外側（人体と反対の表面側）に雌カギホック９が、それぞれ取り付けられている。なお、縫製により結合された矯正ベルト左右両端部３，４には、細帯状の縁布１１，１１が施されている。
【０００７】
そして、上下段ベルト１，２の長さの中間部分が並列状態で、とくに中央寄り部分において複数の布地製連結片５，５が渡されて、これらの連結片５，５を介して上下段ベルト１，２が互いに連結されている。
また、上段ベルト１の長さの中央部内側にポケット部７が設けられて、該ポケット部７に遠赤外線放射セラミックス６ａを有する仙骨矯正ブロック６（仙骨サポーター）が収められている。
ここで、仙骨矯正ブロック６としては、例えば硬質ポリウレタン樹脂発泡体よりなるものを使用するのが好ましい。
また、この実施形態では、ポケット部７が上布７ａと下布７ｂとよりなり、上布７ａの下端部が下布７ｂの上端部に部分的に重ね合わせられるとともに、上布７ａの上縁と左右側縁とが逆Ｕ形に縫着せられ、下布７ｂの下縁と左右側縁とがＵ形に縫着せられて、それぞれ開口部が設けられているため、仙骨矯正ブロック６は、取り外し自在となされている。また上下両ベルト１，２の左右両端部１ａ，１ａと２ａ，２ａとが重合状態に結合された矯正ベルト両端部３，４寄りのベルト折れ曲り部分には、圧力防止布すなわちパワーアブソーブクロス１２，１２がそれぞれ縫製により取り付けられている。
また、下段ベルト２の中央下縁部に、装着したさい体形に沿いやすいように、センターダーツ１３が設けられている。
【０００８】
ところで、傾いた骨盤を正しい位置に直すには、骨盤を正しい位置に支える筋肉の代用をするパワーを付加する必要があるが、本発明による骨盤矯正ベルト１０は、このような骨盤矯正パワーを付加するのに非常に適しているものである。
一般に、傾いた骨盤の性状は、つぎのようになっている。
すなわち、起立筋で体重を支えるのが困難であるため、左右どちらかの足に体重をかけて立っている（筋力よりも骨力に頼るかたち）ため、骨盤２０のうち左右の腸骨２１，２１（図２ｅ参照）に高低の差が生じている。また、左右の腸骨２１，２１は、全体に、後ろに開いて傾いた状態となっている。仙腸関節２３，２３（図２ｅ参照）、恥骨結合部（図示略）にもズレを生じている。このように骨盤２０が傾けば、その上にのっている腰椎２５を含む２４個の椎骨からなる背骨も傾くことになる。
以上の状態から、もとの正しい位置に戻すために、本発明による骨盤矯正ベルト１０が使用されるものである。
【０００９】
つぎに図２を参照して、本発明による骨盤矯正ベルト１０の使用方法を順に説明する。
まず、本発明の骨盤矯正ベルト１０を、人体Ｍの後側より腰に沿わすように当て（図２ａ参照）、ついでこれを力を入れないで巻く。このとき、骨盤矯正ベルト１０の両端部３，４を無伸張状態で人体Ｍの前にあわせた状態で（図２ｂ参照）、両者の間に約１２ｃｍ程度の間隔が開いているのが、好ましい。
つぎに、骨盤矯正ベルト１０を伸張させて、これの両端部３，４を重ね合わせ、雄・雌カギホック８，９を掛け合わせて、ベルト両端部３，４を互いに接続して、着用する（図２ｃ参照）。
このとき、下段ベルト２の１／３がヒップと足の境目から足の方にかかるように左右に強く引っ張り、前に回して掛け止める。人体Ｍの前では、適度の強さの位置で留めて、前で留めたベルト両端部３，４は、恥骨の上にセットする。こうして下段ベルト２により股関節２４，２４がカバーせられる。
また、上段ベルト１の中央部内側の仙骨矯正ブロック６に保持された遠赤外線放射セラミックス６ａが、丁度仙骨２２の背面すなわち背骨の真下に位置するようにする（図２ｄ，図２ｅ参照）。
【００１０】
本発明の骨盤矯正ベルト１０によれば、上段ベルト１により両腸骨２１，２１を後ろから前に押し上げるとともに、仙骨２２をサポートする。また仙腸関節２３，２３および恥骨結合部（図示略）のズレを調整する。一方、下段ベルト２により、全体重を受ける２本足（大腿骨）と骨盤２０との接点となっている股関節（大転子）２４，２４を後ろから前に押し上げるものである。
なお、上下両ベルト１，２の両端部３，４が一体に結合される前面の恥骨周辺には、かなりのパワーが掛かるが、これは、恥骨周辺の経穴へのマッサージ（指圧）効果を促すものとなるのである。
また骨盤矯正ベルト１０の両端部３，４寄りのベルト折れ曲り部分には、圧力防止布すなわちパワーアブソーブクロス１２，１２が取り付けられているため、例えば座り仕事の多い人に対しても、２本のベルト１，２の圧力に基づく圧迫により痛みが生じない利点がある。
さらに、遠赤外線放射セラミックス６ａを有する仙骨矯正ブロック６（仙骨サポーター）は、取り外し自在となされているから、例えば就寝時に違和感を覚える人のために、これがじゃまになれば、簡単に取り外すことができるという利点がある。
【００１１】
【発明の効果】
本発明による骨盤矯正ベルトは、上述のように、弾性を有する布地製でかつ主として仙腸関節を覆う上段ベルトと、同弾性を有する布地製でかつ主として股関節を覆う下段ベルトとを備え、上下両ベルトの左右両端部とが重合状態に結合されて、矯正ベルト両端部が形成され、該矯正ベルト両端部寄りのベルト折れ曲り部分には圧力防止用のパワ−アブソ−ブクロスが取付けられ、上下段ベルトの長さの中間部分が並列状態で複数の布地製連結片によって互いに連結され、上段ベルトの長さの中央部内側にポケット部が設けられて、該ポケット部に遠赤外線放射セラミックスを有する仙骨矯正ブロックが収められ、矯正ベルト両端部に相互に掛け合わせられてベルト両端部を連結する掛止部材が設けられているもので、本発明によれば、傾いた骨盤を正しい位置に直すために、骨盤を正しい位置に支える筋肉の代用をするパワーを付加するのに非常に適しているものであり、本発明による骨盤矯正ベルトの使用により、起立筋の弱体化に起因する骨盤の傾きを正す（直す）ことができて、腰痛をはじめとする諸生活習慣病を予防、並びに改善を図ることができるのみならず例えば座り仕事の多い人に対しても、２本のベルトの圧力に基づく圧迫により痛みが生じないという効果を奏する。
【図面の簡単な説明】
【図１】  本発明品の概略斜視図である。
【図２】  本発明品の使用方法を順に説明する図で、図２ａは、本発明の骨盤矯正ベルトを腰に当てた着用前の状態の概略斜視図である。
図２ｂは、骨盤矯正ベルトの両端部を無伸張状態で身体の前にあわせた状態の概略斜視図である。
図２ｃは、骨盤矯正ベルトの両端部を伸張させて重ね合わせ、両端部を互いに接続した着用状態の概略斜視図である。
図２ｄは、同着用状態の概略側面図である。
図２ｅは、同着用状態の概略背面図で、骨盤が図示されている。
【符号の説明】
１        上段ベルト
１ａ      上段ベルト端部
２        下段ベルト
２ａ      下段ベルト端部
３        矯正ベルト左端部
４        矯正ベルト右端部
５        連結片
６ａ      遠赤外線放射セラミックス
６        仙骨矯正ブロック
７        ポケット部
８        雄型カギホック（掛止部材）
９        雌型カギホック（掛止部材）
１０      骨盤矯正ベルト
１２      パワ−アブソ−ブクロス
２０      骨盤
２１      腸骨
２２      仙骨
２３      仙腸関節
２４      股関節
【図１】
0003974690.tif 000002
【図２】
0003974690.tif 000003